(57)【要約】【課題】戸体（ドア）が左右の縦框と上下の横框とを備え、一方の縦框の横框が接合される上下端部にドア側のヒンジが固定されると、縦框への横框の取り付けが煩雑になる。【解決手段】回転ヒンジを取り付けるためのヒンジ取付部３２を縦框３の補強板９に締結するための締結板３４に横框取付部４０が設けられている。この横框取付部４０を介して縦框３に横框５を接合できるので、縦框３の幅を狭くするために、縦框３内の補強板９を一枚だけにしても容易に縦框３に横框５を接合できる。また、横框取付部４０は締結板３４に一体に設けられているので、締結板３４によりヒンジ取付部３２を補強板９に締結した際に横框取付部４０も縦框３の補強板９に固定される。これにより、横框５の取り付けに新たに横框取付部４０を使うものとしても、戸体の組立工程が増えることがなく、組立作業時間の延長やコストの増加を防止できる。【選択図】図４
2008082108.tif 000002
【特許請求の範囲】
【請求項１】
枠体と、この枠体に開閉機構を介して開閉可能に取り付けられる戸体とを備え、
前記戸体が左右の縦框と上下の横框とを四角枠状に組んだフレームと、当該フレームに嵌め込まれるパネルとを有し、
前記縦框が中空に形成されるとともに、内部に前記戸体の左右の端面と平行な補強板を有し、
前記開閉機構は、前記縦框のうちの一方の縦框の上端部および下端部にそれぞれ設けられて戸体と一体に回転する回転ヒンジと、前記枠体の上端部および下端部にそれぞれ設けられて前記回転ヒンジを回転自在に受ける固定ヒンジと、前記回転ヒンジを前記縦框に固定するヒンジ取付部及び締結板とを備え、
前記ヒンジ取付部と前記締結板との間に前記縦框の前記補強板を挟んで前記ヒンジ取付部と前記締結板とを対向して配置し、
前記ヒンジ取付部および前記補強板を貫通して前記締結板に至るねじ接合部材により、前記補強板を挟んで前記ヒンジ取付部と前記締結板とを締結し、
前記ヒンジ取付部に回転ヒンジを取り付け、
前記締結板に前記横框を前記縦框に接続する横框取付部を一体に設けていることを特徴とする開口部装置。
【請求項２】
前記縦框は、前記戸体の側縁部の２つの側面を構成する２つの側面板と、前記戸体の端面を構成する端面板とから断面コ字状に形成されるとともに、２つの前記側面板間に前記端面板と間隔をあけて平行に架け渡される前記補強板を備え、
一体に設けられた前記締結板および前記横框取付部の幅が、前記補強板に沿った前記側面板同士の間隔にほぼ等しくされ、
かつ、前記締結板および前記横框取付部には、当該締結板および横框取付部を前記補強板に沿って前記縦框内に挿入した際に、前記縦框端部に係止されて、当該締結板及び横框取付部の前記縦框の軸方向に沿った位置を決める係止部を備えていることを特徴する請求項１に記載の開口部装置。
【発明の詳細な説明】
【技術分野】
【０００１】
本発明は、壁の開口部に設けられた枠体と、この枠体に開閉機構を介して開閉可能に取り付けられる戸体とを備えた開口部装置に関する。
【背景技術】
【０００２】
住宅等の建築物や各種部屋（室）の入出口に設けられる開口部装置としてのドアの開閉機構としては、ピボットヒンジ（ピボット丁番）や蝶番（丁番）機構が知られている。
ピボットヒンジは、基本的にドアの丁番側の側縁部の上下端部にそれぞれ水平部材をドアの側方に延出して設け、枠体側にドア側の水平部材と対向するように上下にそれぞれ水平部材を設け、これら水平部材の一方に軸を垂直に固定し、他方に軸に対して相対的に回転可能な軸受けを設けた構造となっている。
そのピボットヒンジのドア側の水平に延在する板状の水平部材を垂直（鉛直）に延在する板状の垂直部材とすることにより、戸体と枠体の微調整機構を容易に組み込めるようにしたヒンジが知られている（例えば、特許文献１参照）。
【０００３】
一方、ドア（戸体）には、アルミ押出成型材からなる戸先側および丁番側の縦框と、上下の横框（桟材）とから矩形枠状のアルミフレームを形成し、枠部の内側に木系のパネルやガラス板等のパネルを嵌め込んだ形状のものが知られている。
そして、前記丁番側の縦框の上下端部の内部に前記特許文献１に示されるピボットヒンジのドア側の垂直部材（回転ヒンジ）を取り付けたものが知られている。
前記縦框の断面形状は、ドアの左右側縁部の側面となる二枚の側面板と、ドアの端面を構成する端面板とから概略コ字状（チャネル状）に形成される。なお、縦框の端面板の反対側は開放した状態となっており、内部に嵌め込むパネルの側縁部が挿入可能となっている。ここで、縦框は、ドアの厚み方向に沿った端面板の幅よりも、ドアの面方向に沿った側面板の幅の方がかなり長くなった形状となっている。
【０００４】
そこで、縦框の２枚の側面板の間に架け渡されるように、端面板側（端面板より少し開放側）と開放側（開放端より少し端面板側）との二箇所に、それぞれ、端面板と平行となるように隔壁状の補強板が設けられていた。なお、縦框において、端面板と端面板側の補強板との間に間隔があけられ、開放端と開放側の補強板との間に間隔があけられ、これら２つの間隔よりも広い間隔が２つの補強板同士の間にあけられている。
【０００５】
上述の特許文献１に示されるピボットヒンジは、ドア側の回転ヒンジ（前記垂直部材）と、枠体側の固定ヒンジ（前記水平部材）とから構成されている。
また、回転ヒンジは、縦框に取り付けられるヒンジ取付部と、ヒンジ取付部に設けられ回転ヒンジの取付位置を微調整可能な微調整機構とを介して縦框に取り付けられる。
また、回転ヒンジは、前記縦框から水平方向に突出する垂直な部材である垂直部材と、前記垂直部材の先端部に設けられ、かつ、前記軸が挿入されて固定されるか、前記軸を回転自在に受ける軸受けとなる筒部とが備えられている。
【０００６】
そして、縦框の端面板側に形成された補強板の端面板側の側面に前記ヒンジ取付部が取り付けられている。端面板には、補強板にヒンジ取付部を取り付ける際のねじ締め等の作業の際にドライバ等を挿入するための切欠部が形成されている。また、前記筒部を有する垂直部材をドア本体より突出させるための切欠部が少なくとも一方の側面板に設けられている。また、ヒンジ取付部の縦框の端側に配置される微調整機構の部分が回転ヒンジを戸体の丁番側端面より中央側に配置するために補強板より開放側にはみ出す構成とする必要があり、補強板の微調整機構に対応する部分にヒンジ取付部の一部を突出させるための切欠部が形成されている。
また、ヒンジ取付部は、ビスを貫通させる複数の貫通孔を備え、端面板側の補強板にもヒンジ取付部の貫通孔と連通する位置に複数の貫通孔が形成されている。
【０００７】
そして、端面板側の補強板における開放側の側面に前記貫通孔に対応したねじ穴を有する締結板が配置され、前記ヒンジ取付部と補強板との貫通孔に挿入されたビス（ねじ、ねじ接続部材）先端部が前記締結板のねじ穴に螺合され、このねじを締め付けることにより、ヒンジ取付部が補強板に固定されている。
なお、枠体の上下端に設けられたピボットヒンジの固定ヒンジは、特許文献１に示されるものとほぼ同様の構成となっている。
また、横框の左右端部は、縦框の開放側の補強板に付き合わされてねじ止めされた状態となっている。
【０００８】
【特許文献１】特開２００３−２３２１５８号公報
【発明の開示】
【発明が解決しようとする課題】
【０００９】
ところで、ピボットヒンジは、例えば、室内ドア等において、丁番をドアの上下端部に配置するとともに、蝶番より上下長さを短いものとすることにより、ドアのデザインをシンプルかつシャープですっきりしたものとしている。
一方、アルミ押出成型材の左右の縦框および上下の横框からなるアルミフレームを用いた戸体においても、よりシャープでシンプルな印象を与えるために、戸体の側面の面方向に沿った左右幅が広かった縦框をできるだけ狭くすることが考えられている。
【００１０】
そこで、従来、縦框の二枚の側面板の左右幅を前記端面板側の補強板より少しだけ開放側で切断した状態の形状とすることで、縦框の左右幅を短くすると、従来の開放側の補強板が無くなることになる。
この場合に、縦框の補強板のうちの従来横框の端部が突き合わされて接合されていた開放側の補強板が無くなってしまうので、横框の端部を残った端面板側の補強板に突き合わせて接合することが考えられる。
しかし、端面板側の補強板の横框が接続される部分には、上述のピボットヒンジのヒンジ取付部が取り付けられ、かつ、補強板に切欠部が形成されていることなどから、横框の端部を突き合わせて接合することが困難となる。
【００１１】
この場合に、縦框と横框との接合部を単純な突き合わせ構造とすることができないことから、構造が複雑になりかつ組立作業が煩雑なものになり、それにともなってコストが高くなったり組立作業時間が長くなったりするなどの弊害が発生する可能性が高い。
【００１２】
本発明は、このような事情に鑑みてなされたもので、枠体と、この枠体に開閉機構を介して開閉可能に取り付けられる戸体とを備え、前記開閉機構となるヒンジの戸体側部分が、戸体の左右側縁部を構成する縦框材内に固定される場合に、縦框の左右幅が狭くなってもヒンジの戸体側部分を有する戸体の構造を複雑化することなく、組立作業を容易なものとできる開口部装置を提供することを目的とする。
【課題を解決するための手段】
【００１３】
前記目的を達成するために、請求項１に記載の開口部装置は、  枠体と、この枠体に開閉機構を介して開閉可能に取り付けられる戸体とを備え、
前記戸体が左右の縦框と上下の横框とを四角枠状に組んだフレームと、当該フレームに嵌め込まれるパネルとを有し、
前記縦框が中空に形成されるとともに、内部に前記戸体の左右の端面と平行な補強板を有し、
前記開閉機構は、前記縦框のうちの一方の縦框の上端部および下端部にそれぞれ設けられて戸体と一体に回転する回転ヒンジと、前記枠体の上端部および下端部にそれぞれ設けられて前記回転ヒンジを回転自在に受ける固定ヒンジと、前記回転ヒンジを前記縦框に固定するヒンジ取付部及び締結板とを備え、
前記ヒンジ取付部と前記締結板との間に前記縦框の前記補強板を挟んで前記ヒンジ取付部と前記締結板とを対向して配置し、
前記ヒンジ取付部および前記補強板を貫通して前記締結板に至るねじ接合部材により、前記補強板を挟んで前記ヒンジ取付部と前記締結板とを締結し、
前記ヒンジ取付部に回転ヒンジを取り付け、
前記締結板に前記横框を前記縦框に接続する横框取付部を一体に設けていることを特徴とする。
【００１４】
請求項２記載の発明は、請求項１に記載の開口部装置において、前記縦框は、前記戸体の側縁部の２つの側面を構成する２つの側面板と、前記戸体の端面を構成する端面板とから断面コ字状に形成されるとともに、２つの前記側面板間に前記端面板と間隔をあけて平行に架け渡される前記補強板を備え、
一体に設けられた前記締結板および前記横框取付部の幅が、前記補強板に沿った前記側面板同士の間隔にほぼ等しくされ、
かつ、前記締結板および前記横框取付部には、当該締結板および横框取付部を前記補強板に沿って前記縦框内に挿入した際に、前記縦框端部に係止されて、当該締結板及び横框取付部の前記縦框の軸方向に沿った位置を決める係止部を備えていることを特徴する。
【発明の効果】
【００１５】
請求項１記載の開口部装置によれば、回転ヒンジを取り付けるためのヒンジ取付部を縦框の補強板に締結するための締結板に横框取付部が設けられ、この横框取付部を介して縦框に横框を接合できるので、上述のように縦框の幅を狭くするために、補強板を一枚だけにしても容易に縦框に横框を接合することができる。
また、横框取付部は締結板に一体に設けられているので、締結板によりヒンジ取付部を補強板に締結した際に横框取付部も縦框の補強板に固定されることになり、横框の取り付けに新たに横框取付部を使うものとしても、戸体の組立工程が増えることがなく、組立作業時間の延長やコストの増加を防止することができる。
【００１６】
また、請求項２記載の開口部装置によれば、一体に設けられた前記締結板および前記横框取付部の幅が、前記補強板に沿った前記側面板同士の間隔にほぼ等しくされことで、前記締結板および前記横框取付部を補強板に沿って縦框の側面板同士の間に挿入した際に、側面板により前記締結板および前記横框取付部の補強板に沿った縦框に直交する方向の位置決めができることになる。
また、該締結板および横框取付部を前記補強板に沿って前記縦框内に挿入した際に、前記縦框端部に係止されて、当該締結板及び横框取付部の前記縦框の軸方向に沿った位置を決める係止部を備えているので、前記締結板および前記横框取付部の縦框の軸方向に沿った位置決めも容易に行える。すなあち、縦框内に前記締結板および前記横框取付部を挿入できるだけ挿入することで、前記締結板および前記横框取付部の位置決めが行えることになり、戸体の組立作業を容易なものにできる。
【発明を実施するための最良の形態】
【００１７】
以下、添付した図面を参照しながら、本発明の実施の形態を説明する。
図１は、本実施形態の開口部装置の戸体１の一例を示すものであり、本実施形態の開口部装置は、壁の開口部に設けられた図示しない枠体と、この枠体に後述の開閉機構を介して開閉可能に取り付けられる戸体１とを備えている。なお、図１（ａ）は戸体１の正面図であり、図１（ｂ）は図１（ａ）のＡ−Ａ’矢視図、図１（ｃ）は図１（ａ）のＢ−Ｂ’矢視図である。
【００１８】
枠体は、矩形の戸体１の周囲を囲むように左右の縦枠と、上下の横枠とを矩形枠状に組んで構成されるか、もしくは前記枠体から下の横枠を除いた門形状に形成される。そして、一方の縦枠の上下もしくは上下の横枠の一方の縦枠側にそれぞれ開閉機構を構成する上下のヒンジのうちの固定ヒンジが配置されている。
【００１９】
また、上側の固定ヒンジは、後述の戸体１の上側の回転ヒンジ３１（図３に図示）の筒部３ｂ内に挿入されて固定された軸（図示略）を受ける軸受け部を有するとともに、軸受け部には、従来周知の軸を着脱可能とする開閉部材が設けられ、該開閉部材を開放状態とした際に軸を横方向からほぼ水平に移動して挿入もしくは排出可能となっている。そして、開閉部材を閉じた状態では、軸を軸心回りに回転可能に保持するようになっている。
また、下側の固定ヒンジは、前記上側の固定ヒンジにの軸受け部に回転自在に挿入された軸と同心上に軸が固定され、後述の戸体１の下側の回転ヒンジ３１の筒部３ｂ内に回転自在に挿入されるようになっている。
【００２０】
そして、僅かに斜めとされた戸体１の下側の回転ヒンジ３１の筒部内に下側の固定ヒンジの軸を挿入した後に、上側の回転ヒンジ３１の開放状態となった軸受け部に上側の回転ヒンジ３１の筒部に固定された軸を挿入して軸受け部を閉塞状態とすることで、枠体に戸体１を取り付け可能となっている。
【００２１】
戸体１は、戸先側縦框２および丁番側縦框３（左右の縦框）と、上下の横框４，５（棧材）とを四角枠状に組んだフレーム６と、当該フレーム６内に嵌め込まれるパネル１ａとからなっている。なお、図１に示すように木製のパネル１ａを用いた場合に、図１（ｂ）に示すように、パネル１ａの２つの側面を構成する面材１ｂ，１ｂが横框４，５の両側面を覆った状態となっており、横框４，５は外部から視認できないようになっている。
前記戸先側縦框２および丁番側縦框３と、上下の横框４，５とは、それぞれ、アルミ押出成型材からなるもので、フレーム６はアルミフレームとなっている。
【００２２】
そして、戸先側縦框２と丁番側縦框３とは、図１（ｃ）に示すように、左右の配置が逆となっているが同形状のアルミ押出成型材となっている。また、図１（ｂ）に示すように、上の横框４と下の横框５とは、上下の配置が逆となっているが同形状のアルミ押出成型材となっている。
【００２３】
ここで、戸先側縦框２と丁番側縦框３とは断面形状が同形状であることから図２（ａ）〜（ｄ）に示す丁番側縦框３を例にとって縦框２，３の形状を説明する。丁番側縦框３、その断面形状が、戸体１の面方向に沿うとともに、戸体１の左もしくは右の側縁部を構成するの二枚の側面板７，７と、戸体１の左もしくは右の端面となる端面板８とから断面コ字状（チャネル状）に形成されるとともに、側面板７，７同士の間に端面板８と平行に配置される補強板９が設けられている。
そして、２枚の側面板７，７は互いにドアの厚み相当となる間隔をあけて配置され、一方の端部が、端面板８の右側縁部もしくは左側縁部と一体に接合された形状となっている。
そして、二枚の側面板７，７の他方の端部は、他の部材に接続されることなく、側面板７，７同士の間を開放した開放端とされ、二枚の側面板７，７間に前記パネルの側縁部を挿入可能とされている。なお、側面板７，７の他方の端部は、内側（互いに対向する側）に直角に屈折させられた状態となっている。また、補強板９の左右側縁部は、それぞれ側面板７，７と直角に一体に接合された状態となっている。
【００２４】
なお、戸先側の縦框２は、図１（ａ），（ｃ）に示すように、ほぼ中央部にレバーハンドル１０とラッチボルト１１とを備えたドア係止機構１２のラッチボルト１１が端面板８に形成された開口部から出入可能となっている。
丁番側の縦框３は、図２に示すように左右端部において、側面板７，７、端面板８、補強板９にそれぞれ切欠部１３，１４，１５が形成されている。
側面板７，７の上下端部には、その補強板９との接合部より端面板８側に下端と端面側に開放された状態の矩形状の切欠部１３が形成されており、この切欠部１３から後述のヒンジ取付部３２により丁番側の縦框３に固定され、かつ、先端に筒部３ｂを備えた回転ヒンジ３１が突出するようになっている。なお、戸体１のどちら側でも回転ヒンジ３１が突出可能となるように、二枚の側面板７，７の両方に切欠部１３が形成されている。
【００２５】
端面板８には、上述の側面板７，７の切欠部１３に対応して端面板８の全幅に渡って切り欠いた第１切欠部１４１と、それより長さ方向の中央側に延出して形成され、かつ、端面板８の左右側縁部を除いた部分を切り欠いた第２切欠部１４２とからなる切欠部１４が形成されている。
前記補強板９には、補強板９の左右側縁部を除く中央部に端側が開放された矩形状の切欠部１５が形成されている。
また、補強板９の切欠部１５より長さ方向中央側で、前記端面板８の第２切欠部１４２の中央側と重なる位置には、上下左右に２個ずつ合わせて４個の貫通孔１６，…が形成されており、この貫通孔１６，…に後述のようにヒンジ取付部３２の取付ブロック３ｃをねじ止めする際のビスが挿入可能となっている。
また、補強板９の端面板８の第２切欠部１４２と重なる部分より僅かに中央側には、後述の締結板部３３を補強板９に位置決めするためのビス用のビス孔１７が形成されている。なお、補強板９は、その幅の中央部が長さ方向に渡って肉厚となった肉厚部１８が形成され、ビス孔１７の長さを長くしている。
なお、縦框２，３は、パネルとして木製パネル用のものであるが、図３に示すように、木製のパネル１ａより薄いパネル１ｃとしてガラス板や樹脂板用の縦框３（２）を用いる場合があり、開放側で、側面板７，７の端部がＬ字状に長く屈曲されて開放側の開放幅が狭くされている。
【００２６】
上下の横框４，５は、図１に示すように、戸体１の面方向に沿った二枚の側面板２１と、側面板２１の上下幅の中央部に側面板２１と直交するように配置され、二枚の側面板２１を繋ぐ接続板２２とから概略Ｈ状なっている。そして、二枚の側面板２１の戸体１の上端面もしくは下端面側には、戸体１の上もしくは下の端面用カバー２３を取り付けるカバー取付部２４が設けられている。
また、側面板２１の戸体１の中央側を向く側には、上述の薄いパネル１ｃとしてのガラス板や樹脂板を取り付けるためのパネル取付部２５が設けられている。
【００２７】
また、接続板２２の中央側の向く側面の中央部には、横框４，５の長さ方向に沿って左右に延在する二つのリブ２６，２６が並んで形成されている。また、これら２つのリブ２６，２６は互いに対向する側面が凹部となるように屈曲して形成されており、２つのリブの間に穴に近い形状の空間が形成された状態となっている。なお、リブ２６，２６同士は離間している。
これらリブ２６，２６の間には、後述のように横框４，５の丁番側端部を後述の締結板部３３の横框取付部４０に接続する際にタッピングビス（図示略）が挿入されることにより、締結板部３３の横框取付部４０に横框４，５がビス止めされる。
【００２８】
開閉機構は、上述枠体側に設けられた上下の固定ヒンジ（図示略）と、戸体１の丁番側縦框３の上下端部に固定された回転ヒンジ３１（図３に上下のうちの一方だけを図示）と、回転ヒンジ３１を丁番側縦框３に固定するヒンジ取付部３２（図４に破線で図示）とヒンジ取付部３２を丁番側の縦框３の補強板９に固定するための締結板部３３（図５に図示）とを備えている。
図３に示すように回転ヒンジ３１は、ヒンジ取付部３２に位置を微調整可能に取り付けられる垂直部材３ａを備え、垂直部材３ａの先端部に軸方向を鉛直方向に沿わせた筒部３ｂを備えている。なお、筒部３ｂは、例えば、垂直部材３ａの先端部を筒状に巻くことで筒状に形成されている。その内部に図示しない樹脂製の筒が配置され、上側の回転ヒンジ３１では、前記筒に挿入された軸（図示略）が固定された状態とされて固定ヒンジの軸受け部に挿入され、下側の回転ヒンジ３１では、下側の固定ヒンジに固定された軸が筒部３ｂ内の樹脂製の筒に回転自在に挿入される。
なお、筒部３ｂ内に配置される筒は、有底円筒状で上側の回転ヒンジ３１では筒部３ｂの上側から挿入された状態で配置され、下側の回転ヒンジ３１では筒部３ｂの下側から挿入されている。
また、筒部３ｂの内周には雌ねじが形成され、筒部３ｂに挿入された筒の反対側に高さ調整ねじ（図示略）が螺合した状態となっており、高さ調整ねじを雌ねじに対して回転させることで、樹脂製の筒の高さ（鉛直方向）位置を調整可能となっている。
【００２９】
そして、図４（ａ）〜（ｆ）に示すように、ヒンジ取付部３２は、取付ブロック３ｃと、取付ブロック３ｃと一体に形成された取付板３ｄと、この取付板３ｄに形成され、前記回転ヒンジ３１の垂直部材３ａをその面方向に沿って水平方向に移動自在に支持する微調整機構３ｅとを備える。
前記取付ブロック３ｃは、左右幅が縦框３の左右幅（戸体１の厚さ方向の幅）より狭くされている。また、取付ブロック３ｃは、その厚み（戸体１の厚み方向に直交する面方向に沿った長さ）が、縦框３の端面板８と補強板９との間の間隔に略等しいものとなっている。すなわち、取付ブロック３ｃの厚みは、端面板８と補強板９との間隔に対して極めて小さなクリアランスを持ったものとされ、取付ブロック３ｃを端面板８と補強板９との間にぎりぎり挿入可能なものとなっている。
【００３０】
そして、取付ブロック３ｃには、上下左右２つずつのあわせて四つの戸体１の面方向に沿った貫通孔４１，…が形成されている。この貫通孔４１，…は、補強板９に形成された４個の貫通孔１６，…と重なって連通する位置に配置されている。
また、取付ブロック３ｃの補強板９と対向して当接する面には、補強板９の中央部に補強板９の長さ方向に沿って形成された肉厚部１８に対応する溝が形成され、この溝に肉厚部１８がはまり込んだ状態となっている。
【００３１】
取付ブロック３ｃは、端面板８と補強板９とに挟まれることにより、水平方向でかつ戸体１の面方向に沿った位置が仮決めされ、補強板９側に対向する面に設けられた溝に補強板９の肉厚部１８が入り込むことで、水平方向でかつ戸体１の厚み方向に沿った位置が仮決めされるようになっている。
【００３２】
前記取付板３ｄは、取付ブロック３ｃより、縦框３の端側に配置される。また、取付板３ｄは、微調整機構３ｅのベースとなり、取付板３ｄの端面板８側に前記垂直部材３ａが水平方向でかつ垂直部材３ａの面方向、すなわち、戸体１の厚み方向に沿って僅かに移動可能となるように取り付けられている。
また、取付板３ｄの縦框３の端側となる端部には、取付ブロック３ｃの縦框３の端側端面と対向する底板部３ｆが設けられており、取付ブロック３ｃの縦框３端側の端面と底板部３ｆの縦框３中央側の側面とで、垂直部材３ａを左右に摺動自在に案内するようになっている。
【００３３】
そして、取付板３ｄは、その端面板８側に微調整機構３ｅを介して回転ヒンジ３１を取り付ける必要があるとともに、回転ヒンジ３１の筒部３ｂの外周の戸体１の端面側が戸体１の端面より枠体側に突出しないように、垂直部材３ａの位置を端面板８より筒部３ｂの半径分程度補強板９側に近づけるために、取付板３ｄが取付ブロック３ｃの補強板９側の側面より補強板９側に突出した状態となっている。この状態では、取付ブロック３ｃは、縦框３の端面板８と補強板９との間に挿入可能であるが、取付板３ｄは挿入できない。そこで、上述のように補強板９には、その端部から矩形状の切欠部１５が形成されており、取付板３ｄの戸体１の厚み方向に沿った幅は、この切欠部１５の幅に対して僅かなクリアランスを有するように設計され、切欠部１５に取付板３ｄが入り込むようになっている。これにより、回転ヒンジ３１の位置が戸体１の丁番側端面より枠体側に突出するのを防止している。
【００３４】
しかし、前記補強板９の端部の切欠部１５の位置は、縦框３の横框４，５が取り付けられる位置となり、補強板９に切欠部１５を設けたことで、補強板９に横框４，５の端部を突き合わせて接合することができない状態となる。そこで、締結板部３３に後述のように横框取付部４０が形成されることになる。
【００３５】
前記締結板部３３は、補強板９を挟んで取付ブロック３ｃと対向して配置される締結板３４と、横框４，５の端部が突き合わされて接合される横框取付部４０と、これら締結板３４と横框取付部４０とを繋ぐ連結部３５と、縦框３の上下の端部のいずれに係合（係止）して、縦框３の上下端とのカバーとなる縦框端カバー３６（係止部）とを備えている。
【００３６】
図５（ａ）〜（ｃ）に示すように、締結板３４には、前記補強板９の４つの貫通孔１６，…と、取付ブロック３ｃの４つの貫通孔４１，…と重なって連通する位置にねじ孔５１，…が形成されている。このねじ孔５１，…は、板状の金属（例えば溶融亜鉛めっき鋼板）に貫通孔を形成するとともにバーリング加工を施し、穴の周囲の円筒状の立ち上がり部の内周にタッピングにより雌ねじを形成したものである。
そして、ヒンジ取付部３２の取付ブロック３ｃと締結板３４とを補強板９を挟んで対向配置した状態で、ヒンジ取付部３２の貫通孔４１，…と補強板９の貫通孔１６，…を通してビス（ねじ接合部材）の先端部を締結板３４のねじ孔５１，５１にねじ込むことで、補強板９を間に挟んでヒンジ取付部３２と締結板３４が締結され、回転ヒンジ３１が取り付けられるヒンジ取付部３２が縦框３の補強板９に固定される。
また、前記締結板３４は、取付ブロック３ｃより僅かに中央部よりにずれた位置に配置され、取付ブロック３ｃの縦框３の端側に設けられる微調整機構３ｅの操作部と重ならないように配置されるとともに、締結板３４の縦框３の中央側に設けられる貫通孔５２と取付ブロック３ｃが重ならないように配置される。
【００３７】
締結板３４の取付ブロック３ｃより縦框３の中央側に延出した部分には、図４に示すように、上述の補強板９の肉厚部に形成されたビス孔１７にビス５４を挿入することにより締結板部３３を位置決めするための貫通孔５２が形成されている。
また、締結板３４は、その左右側縁部が縦框の開放側に向けて直角に折られることにより、左右側縁部に折片５５，５５が形成されている。そして、この折片５５，５５に締結板３４と横框取付部４０とを連結する連結部３５の２本の連結片５７，５７が接合されるようになっている。
【００３８】
前記横框取付部４０は、上記締結板３４より上下幅の狭い板状に形成され、その幅の中央部に前記横框４，５の２つのリブ２６，２６の間にタッピングビスをねじ込むことにより横框４，５を締結可能とするための貫通孔５８が形成されている。
そして、貫通孔５８の左右の僅かに下側にそれぞれ縦框端カバー３６を取り付けるための貫通孔５９，５９が形成されている。また、横框取付部４０の縦框３の端側となる端部には、左右にそれぞれ水平に突出するたカバー受け片６０が設けられている。このカバー受け片６０は、後述の縦框端カバー３６の底板６１が当接されて位置決めされるようになっている。
【００３９】
横框取付部４０の左右側縁部は、補強板９側に向かって直角に折られて屈曲片６４，６４が形成されるとともに屈曲片６４，６４が締結板部３３側に向かって縦框３の軸方向に沿って延出して形成され、この延出部分が締結板３４と横框取付部４０とを連結する２本の連結片５７，５７となっている。
この連結片５７，５７は、その間隔が横框取付部４０の左右幅となっているとともに、図５（ａ）に示すように、２本の連結片５７，５７の対向する面（内側の面）同士の距離と、締結板３４の折片５５，５５の外側の同士の距離とが略等しくされ、連結片５７，５７同士の間に締結板３４を配置可能となっているとともに、連結片５７，５７同士の間に締結板３４を配置した状態で、連結片５７，５７の内側の面と締結板３４の折片５５，５５の外側の面とが当接するようになっている。そして、連結片５７，５７と締結板３４の折片５５，５５とが例えばスポット溶接により接合されている。
また、連結片５７，５７は、幅を有する細板状の長尺な部材であるが、連結片５７，５７の補強板９側に締結板３４が設けられ、連結片５７，５７の開放側に横框取付部４０が配置される。すなわち、締結板３４は補強板９に当接した状態に配置されるが、横框取付部４０は、補強板９に対して連結片５７，５７の幅分の間隔をあけて配置される。
【００４０】
また、連結片５７，５７同士の外側の面同士の幅は、縦框３の側面板７，７の内面同士の間隔と略等しくされており、僅かなクリアランスが設定されているだけなので、締結板部３３を縦框３の側面板７，７同士の間に挿入した場合に、締結板部３３の連結片５７，５７の外側の面が縦框３の側面板７，７の内面に当接するようになっている。これにより、締結板部３３を補強板９の開放側の側面に沿って縦框３内に挿入すると、締結板部３３の戸体１の厚み方向に沿った位置が決められることになる。
【００４１】
なお、連結片５７，５７は、横框取付部４０の左右側縁部の屈曲片６４，６４と一体に形成され、連結片５７，５７同士が互いに平行に配置されている。
また、縦框３内部の幅と締結板部３３の外側の幅との間には僅かなクリアランスしか設定されていないので、縦框３内部に締結板部３３を挿入した状態で、連結片５７，５７（横框取付部４０の屈曲片６４，６４を含む）の外側側面と、縦框３の側面板７，７の内側の側面とが当接した部分で発生する摩擦により、縦框３内に挿入された締結板部３３の移動が規制され、例えば、縦框３内に挿入した締結板部３３は自重で落下しないようになっている。
【００４２】
また、締結板部３３の横框取付部４０側の端部には、上述の縦框端カバー３６が取り付けられている。縦框端カバー３６は、矩形状でかつ矩形状の切欠部６３が形成されて平面視してコ字状の底板６１と、底板６１から垂直に立設された取付片６２とを備えた合成樹脂製の部材である。
そして、底板６１は、上述のカバー受け片６０に当接した状態で締結板部３３の横框取付部４０側の端全体を覆うようになっている。また、底板６１の切欠部６３の位置には、ヒンジ取付部３２の取付板３ｄの底板部３ｆが配置されて切欠部６３をほぼ塞いだ状態なる。
【００４３】
また、縦框端カバー３６の取付片６２には、前記横框取付部４０に設けられた左右２つの貫通孔５９，５９に対応する位置にそれぞれ取付突起７０，７０が形成されている。なお、取付片６２は左右に長い矩形状に形成されるとともに先端側の左右の角部にＲが付けられている。
そして、この取付突起７０，７０を横框取付部４０の貫通孔に挿入することで、横框取付部４０に縦框端カバー３６が取り付けられた状態となる。
【００４４】
そして、締結板部３３を補強板９に沿って縦框３の上下端のいずれかから締結板３４を先にして挿入した場合に、縦框端カバー３６（係止部）の底板６１が縦框３の端に当接した状態で、締結板部３３の縦框３の軸方向に沿った位置が決められるようになっている。この状態で、補強板９の貫通孔１６，…に締結板３４のねじ孔５１，…が重なって連通した状態となり、補強板９のビス孔１７に、締結板３４の貫通孔５２が重なって連通した状態となる。
また、横框取付部４０も横框４，５の取り付け位置に配置された状態となる。
【００４５】
以上のような開口部装置における戸体１の組立では、丁番側縦框３の上下端部において、上述のように締結板部３３を締結板３４を先にして補強板９の開放側の側面に沿って縦框３内に挿入する。この際に、上述のように締結板部３３の幅が、縦框３の補強板９の左右縁部に直角に接合された側面板７，７同士の内面間の幅に対して僅かなクリアランスを有する幅となっており、締結板部３３の左右の連結片５７，５７の外側側面が側面板７，７の内面に略当接した状態となるので、戸体１の厚み方向に沿った位置が決められた状態で縦框３内に補強板９に沿って締結板部３３が挿入される。
【００４６】
そして、締結板部３３の縦框端カバー３６を縦框３の端に当接させる。この状態で、締結板部３３の締結板３４の貫通孔５２から補強板９のビス孔１７にビス５４を挿入して位置決めする。この際には、縦框３の開放側から作業を行うことができる。なお、上述のように、締結板部３３は、縦框３の二枚の側面板７，７に当接することで、自重で落下しない程度に保持可能であり、かつ、締結板３４を補強板に当接させ、上述のように左右の連結片５７，５７を側面板７，７に当接させ、縦框端カバー３６を縦框３の端に当接させることで、締結板部３３の位置決めが可能なので、必ずしも締結板部３３をビス止めする必要はなく、締結板３４の貫通孔５２および補強板９のビス孔１７を形成せず、ビス５４も使用しないものとしてもよい。
【００４７】
次に内部にパネル１ａを嵌め込んだ状態で左右の縦框２，３および上下の横框４，５を四角枠状に組んで戸体１を組み立てる。
この際に丁番側の縦框３の上下端部に上下の横框４，５の端部を突き合わせて接合する。縦框３の開放側から横框４，５の端部を挿入するとともに、横框４，５の端面を上述の締結板部３３の横框取付部４０に当接させる。次いで、縦框３の端面板８の切欠部１４側からタッピングビスを上述の２つのリブ２６，２６間にねじ込むことにより横框４，５を横框取付部４０に固定する。なお、横框４，５の端部は、縦框３の二枚の側面板７，７間に配置されるとともに、パネル１ａの二つの主側面を形成する二枚の面材１ｂ，１ｂに挟まれるので、一本のタッピングビスで固定しても回転してしまうことはない。また、図示しない戸体１の上面および下面に取り付けられる端面用カバー２３によっても回転不可とされる。
【００４８】
そして、戸体１が製造された後に、丁番側縦框３の端から補強板９に沿って補強板９と端面板８と二枚の側面板７，７で囲まれた部分にヒンジ取付部３２を挿入する。この際にヒンジ取付部３２に回転ヒンジ３１を取り付けた状態としてもよいし、回転ヒンジ３１を取り外した状態としてもよい。しかし、作業性を考慮した場合に回転ヒンジ３１を取り付けた状態でヒンジ取付部３２を縦框３に取り付けることが好ましい。
そして、ヒンジ取付部３２を縦框３の端から挿入した場合に、上述のように取付ブロック３ｃの溝が補強板９中央の肉厚部１８に案内された状態となり、ヒンジ取付部３２の戸体１の厚み方向に沿った位置が決められる。
【００４９】
この状態で、ヒンジ取付部３２を縦框３に挿入すると取付ブロック３ｃの後方となる取付板３ｄが補強板９に形成された切欠部１５に挿入された状態となる。この際に、取付板３ｄが切欠部１５から補強板９の反対側の側面に取り付けられた締結板部３３側に突出することになるが、取付板３ｄが突出する部分が締結板３４より下の連結片５７，５７および横框取付部４０に対応しており、連結片５７，５７は左右に分かれて取付板３ｄに接触しない状態となっているとともに、横框取付部４０も補強板９から離れて配置されることで、取付板３ｄと接触しないか、取付板３ｄが正しい位置に配置された状態で当接するように配置されている。
【００５０】
そして、取付ブロック３ｃの貫通孔４１，…と補強板９の貫通孔１６，…との位置を合わせた状態で縦框３の端面板８の切欠部１４側からビス（ねじ接合部材）を取付ブロック３ｃの貫通孔４１，…に挿入し、ビスが取付ブロック３ｃと補強板９とを貫通した状態でビスの先端部を締結板３４のねじ孔５１，…にねじ込むことで、取付ブロック３ｃと締結板３４で補強板９を挟んだ状態でビスによりこれらが締結される。
そして、縦框３の上下端部で同様にヒンジ取付部３２を取り付けることで、縦框３の上下端部に回転ヒンジ３１が固定された状態となる。
次いで、上述のように枠体に戸体１を取り付ける。
【００５１】
以上のような開口部装置によれば、縦框２，３の幅が狭くなることにより、アルミ押出成型材の縦框３において、二枚の側面板７，７間に一枚の補強板９しか配置できず、一枚の補強板９の上下端部に対して回転ヒンジ３１を縦框３に取り付けるヒンジ取付部３２と、戸体１の横框４，５とが取り付けられる場合に、横框４，５を直接補強板９に取り付けずに、ヒンジ取付部３２を取り付ける際に用いられる締結板３４に一体に設けられた横框取付部４０に横框４，５を取り付けるようにしたので、補強板９に回転ヒンジ３１を取り付けるヒンジ取付部３２が取り付けられる構造となっていても、同じ補強板９に横框取付部４０を介して容易に横框４，５を取り付けることができる。
【００５２】
また、横框取付部４０が従来からある締結板３４と一体に形成されることで、部品点数の増加を防止することができ、戸体１の組立作業において、組立作業や部材の管理を容易にすることができる。
例えば、横框取付部４０がヒンジ取付部３２を補強板９に取り付けるための締結板３４と一体に構成されているので、締結板３４とヒンジ取付部３２とをビスで補強板９に締結することで、横框取付部４０を補強板９に接合しなくても、補強板９に横框取付部４０が強固に取り付けられることになり、横框取付部４０の取り付け作業を省略した状態となる。
【００５３】
また、締結板３４と横框取付部４０とを連結片５７，５７で接続した状態の締結板部３３の幅が縦框３の補強板９の幅すなわち側面板７，７の内面間の幅とほぼ等しくなっているので、縦框３に締結板部３３を挿入するだけで、戸体１の厚み方向の位置決めができる。また、締結板部３３の縦框端カバー３６が縦框３の端に当接するまで締結板部３３を縦框３内に挿入することにより、締結板部３３の縦框３の軸方向に沿った位置決めが可能となる。また、縦框３の側面板７，７同士の間隔と、締結板部３３の幅とのクリアランスが僅かな設定となっているので、側面板７，７と締結板部３３の連結片５７，５７が当接することにより、これらの間で摩擦が発生し、縦框３に締結板部３３を仮固定しいた状態となる。
したがって、上述のように、必ずしも締結板部３３を補強板９にビス５４を用いて仮固定する必要がなく、戸体１の組立作業を簡略化することができる。
【図面の簡単な説明】
【００５４】
【図１】本発明の実施の形態に係る開口部装置の戸体を説明するための図である。
【図２】前記戸体の丁番側縦框を説明するための図である。
【図３】前記開口部装置の開閉機構の戸体側の回転ヒンジを説明するための図である。
【図４】前記縦框に取り付けられるヒンジ取付部および締結板部を説明するための図である。
【図５】前記締結板部を説明するための図である。
【図６】前記締結板部の縦框端カバーを説明するための図である。
【符号の説明】
【００５５】
１        戸体
１ａ      パネル
１ｃ      パネル.
２        戸先側縦框
３        丁番側縦框
４        上の横框
５        下の横框
６        フレーム
７        側面板
８        端面板
９        補強板
３１      回転ヒンジ
３２      ヒンジ取付部
３４      締結板
３６      縦框端カバー（係止部）
４０      横框取付部
【図１】
2008082108.tif 000003
【図２】
2008082108.tif 000004
【図３】
2008082108.tif 000005
【図４】
2008082108.tif 000006
【図５】
2008082108.tif 000007
【図６】
2008082108.tif 000008